(57)【要約】      （修正有）【課題】糸調子器に付設する原点復帰装置の構造を単純化して、コストダウンすると共に使い易くする。【解決手段】調節つまみ９と原点復帰操作レバー１３との間に、調節つまみが原点位置から加圧方向へ変位する動作に従動して原点復帰レバー１７を変位させる第１連動機構Ｃ１と、糸調子器の調節つまみが原点位置から減圧方向へ変位する動作に従動して原点復帰レバーを変位させる第２連動機構Ｃ２との２系列の連動機構を設け、この２系列の連動機構に、第１連動機構が作動するときは第２連動機構を非作動状態に回避させる連動回避手段Ｄ１を備え、第２連動機構が作動するときは第１連動機構を非作動状態に回避させる連動回避手段Ｄ２をそれぞれ備え、かつ、この２系列の連動機構は、調節つまみが加圧方向に変位する場合と、該調節つまみが減圧方向に変位する場合との何れの場合も原点復帰レバーを同一方向に変位させるように構成した。【選択図】  図３
2006087539.tif 000002
【特許請求の範囲】
【請求項１】
縫い方に合わせた糸調子圧を設定して、ダイヤルカム軸上にそれぞれ固定された複数個の糸調子カムと、各糸調子カムの設定リフトに従ってそれぞれ揺動する揺動片と、各揺動片の先端部を係合してダイヤルテンション軸上に摺動可能に備えられた複数個のばね受けと、各ばね受けに支承されるばねの付勢によりそれぞれに設定糸調子圧を形成する糸調子皿とからなる一括変換機構と、上記各糸調子皿の設定糸調子圧をそれぞれの調節つまみで微調節する微調節機構とを備える一方、
上記調節つまみと原点復帰操作レバーとの間に、上記調節つまみが原点位置から加圧方向へ変位する動作に従動して原点復帰レバーを原点復帰操作レバーに向けて変位させる第１連動機構と、上記調節つまみが原点位置から減圧方向へ変位する動作に従動して原点復帰レバーを原点復帰操作レバーに向けて変位させる第２連動機構との２系列の連動機構を設けるとともに、この２系列の連動機構は、それぞれ、第１連動機構が作動するときは第２連動機構を非作動状態に回避させる連動回避手段を備え、第２連動機構が作動するときは第１連動機構を非作動状態に回避させる連動回避手段を備え、かつ、この２系列の連動機構は、前記調節つまみが加圧方向に変位する場合と、該調節つまみが減圧方向に変位する場合との何れの場合も前記原点復帰レバーを同一方向に変位させるように構成したことを特徴とするオーバーロックミシンの糸調子装置。
【請求項２】
前記第１連動機構は、前記調節つまみの外周に設けた原動歯車と、初期位置を調節つまみの原点位置に対応させて原点復帰レバー軸に備えた従動歯車との噛合と、上記原点復帰レバー軸上に備えられて上記従動歯車の回転に従動する原点復帰レバーと、この原点復帰レバーの出力端部に備えられ、該原点復帰レバーに原点復帰動作を伝達する当接子とからなり、
前記第２連動機構は、前記調節つまみに一端を接続し、他端を、該調節つまみの原点位置に初期位置を対応させた上記原点復帰レバーの他端部に接続して、この原点復帰レバーの原点復帰動作により上記調節つまみを原点に復帰させる連結リンクとからなること、
前記第１連動機構の連動回避手段は、上記従動歯車に設けられ、該歯車が前記調節つまみの原点位置から加圧方向に変位する場合の回転方向に沿って長い円弧孔と、上記原点復帰レバーの一端部に具えた連結ピンとの嵌合によって構成されており、
前記第２連動機構の連動回避手段は、上記原点復帰レバーの他端部に上記連結リンクを接続した連結ピンと、前記調節つまみが原点位置から減圧方向へ変位する場合の移動方向に沿って長く上記連結リンクに形成した長孔との嵌合によって構成されていることを特徴とする請求項１記載のオーバーロックミシンの糸調子装置。
【請求項３】
前記第１と第２の連動機構の作動により同一方向に変位する前記原点復帰レバーは、各原点復帰レバーの変位方向の外側に沿って配置した長尺の原点復帰操作レバーとの当接により前記各調節つまみを一斉に原点復帰するように構成されていることを特徴とする請求項１記載のオーバーロックミシンの糸調子装置。
【発明の詳細な説明】
【技術分野】
【０００１】
本発明は、オーバーロックミシンの糸調子装置に関し、糸調子器の原点復帰機構を簡単にして、使い易く、かつ、コストダウンできるようにしたことを特長とする。
【背景技術】
【０００２】
オーバーロックミシンに備える糸調子装置は、例えば特許文献１のように、糸調子器の減圧方向の回転と増圧方向への回転との両方の回転に従動する移動体を備え、該移動体の揺動範囲の両外側に配置した２辺の原点復帰レバーをそれぞれ作動させることによって糸調子器を原点位置に復帰させるようにした原点復帰装置を備えていた。
【０００３】
【特許文献１】特許第２６８６１８８号公報
【０００４】
上記のように構成し、上記のように作動する糸調子器の原点復帰装置を備えた特許文献１の糸調子装置は、ダイヤルテンション軸上に備えられた複数組の糸調子器毎にそれぞれ原点復帰装置を備えること、並びに各原点復帰装置には、減圧方向と増圧方向とに移動する移動体の両側にそれぞれ原点復帰のための２辺のレバーを備えることが必要であった。
そのために、構造が複雑になりコスト高になる上に、復帰操作に手数を要するという欠点があった。
【発明の開示】
【発明が解決しようとする課題】
【０００５】
以上のことから、本発明が解決しようとする課題は、糸調子器に付設する原点復帰装置の構造を単純化して、コストダウンできるようにする一方で、復帰操作が簡単にできるようにするなどしてオーバーロックミシンを使い易くすることにある。
【課題を解決するための手段】
【０００６】
そこで本発明は、上記の課題を解決するために、縫い方に合わせた糸調子圧を設定して、ダイヤルカム軸上にそれぞれ固定された複数個の糸調子カムと、各糸調子カムの設定リフトに従ってそれぞれ揺動する揺動片と、各揺動片の先端部を係合してダイヤルテンション軸上に摺動可能に備えられた複数個のばね受けと、各ばね受けに支承されるばねの付勢によりそれぞれに設定糸調子圧を形成する糸調子皿とからなる一括変換機構と、上記各糸調子皿の設定糸調子圧をそれぞれの調節つまみで微調節する微調節機構とを備える一方、
上記調節つまみと原点復帰操作レバーとの間に、上記調節つまみが原点位置から加圧方向へ変位する動作に従動して原点復帰レバーを原点復帰操作レバーに向けて変位させる第１連動機構と、上記調節つまみが原点位置から減圧方向へ変位する動作に従動して原点復帰レバーを原点復帰操作レバーに向けて変位させる第２連動機構との２系列の連動機構を設けるとともに、この２系列の連動機構は、それぞれ、第１連動機構が作動するときは第２連動機構を非作動状態に回避させる連動回避手段を備え、第２連動機構が作動するときは第１連動機構を非作動状態に回避させる連動回避手段を備え、かつ、この２系列の連動機構は、前記調節つまみが加圧方向に変位する場合と、該調節つまみが減圧方向に変位する場合との何れの場合も前記原点復帰レバーを同一方向に変位させるように構成したことを特徴とするオーバーロックミシンの糸調子装置を提供するものである。
【０００７】
そして、請求項２の発明は、前記調節つまみの外周に設けた原動歯車と、初期位置を調節つまみの原点位置に対応させて原点復帰レバー軸に備えた従動歯車との噛合と、上記原点復帰レバー軸上に備えられて上記従動歯車の回転に従動する原点復帰レバーと、この原点復帰レバーの出力端部に備えられて、該原点復帰レバーに原点復帰動作を伝達する当接子とによって、第１連動機構を構成し、
第２連動機構は、調節つまみに一端を接続し、他端を、該調節つまみの原点位置に初期位置を対応させた上記原点復帰レバーの他端部に接続して、この原点復帰レバーの原点復帰動作により上記調節つまみを原点に復帰させる連結リンクとによって構成し、
第１連動機構の連動回避手段は、上記従動歯車に設けられ、該歯車が前記調節つまみの原点位置から加圧方向に変位する場合の回転方向に沿って長い円弧孔と、上記原点復帰レバーの一端部に具えた連結ピンとの嵌合によって構成し、
第２連動機構の連動回避手段は、上記原点復帰レバーの他端部に上記連結リンクを接続した連結ピンと、前記調節つまみが原点位置から減圧方向へ変位する場合の移動方向に沿って長く上記連結リンクに形成した長孔との嵌合によって構成して、原点復帰機構の構造を単純化した。
【０００８】
請求項３の発明は、前記第１と第２の連動機構の作動により同一方向に変位する前記原点復帰レバーの外側に沿って長尺の原点復帰操作レバーを配置して、この原点復帰操作レバーと各原点復帰レバーとの当接により各調節つまみを一斉に原点復帰するように構成したことを特徴とするもので、原点復帰機構の構造を単純化するとともに、各調節つまみの原点復帰操作をきわめて容易にする効果がある。
【発明の効果】
【０００９】
本発明に係る糸調子装置は、縫い方に合わせた糸調子カム、揺動片、ばね受けおよびばねの作動により設定された糸調子器の糸調子圧をさらに微調節する調節つまみと、原点復帰操作レバーとの間に、互いに作動状態を干渉しないように構成した第１連動機構と、第２連動機構との２系列の連動機構を設け、かつ、両連動機構の作動の終端となる原点復帰レバーを同一方向に変位させるように構成したので、原点復帰構造が単純化して、コストダウンする一方で、復帰操作が簡単になり、オーバーロックミシンをより使い易くする。
【発明を実施するための最良の形態】
【００１０】
縫い方に合わせた糸調子圧を設定して、ダイヤルカム軸上にそれぞれ固定された複数個の糸調子カムと、各糸調子カムの設定リフトに従ってそれぞれ揺動する揺動片と、各揺動片の先端部を係合してダイヤルテンション軸上に摺動可能に備えられた複数個のばね受けと、各ばね受けに支承されるばねの付勢によりそれぞれに設定糸調子圧を形成する糸調子皿とからなる一括変換機構と、上記ダイヤルテンション軸上の各糸調子皿に隣接して備えられた調節つまみの操作によって、各糸調子器の設定糸調子圧を微調節する微調節機構とを備える一方、
調節つまみと原点復帰操作レバーとの間に、糸調子器の調節つまみが原点位置から加圧方向へ変位する動作に従動して原点復帰レバーを変位させる第１連動機構と、
糸調子器の調節つまみが原点位置から減圧方向へ変位する動作に従動して原点復帰レバーを変位させる第２連動機構との２系列の連動機構を設ける。
２系列の連動機構は、第１連動機構が作動するときは第２連動機構を非作動状態に回避させる連動回避手段を備え、第２連動機構が作動するときは第１連動機構を非作動状態に回避させる連動回避手段をそれぞれ備える。
この２系列の連動機構は、調節つまみが加圧方向に変位する場合と、調節つまみが減圧方向に変位する場合との何れの場合も原点復帰レバーを同一方向に変位させるように構成したオーバーロックミシンの糸調子装置。
【実施例】
【００１１】
図面は本発明の実施例を示すもので、図１は、実施例の一部切欠平面図、図２は、実施例の一部切欠正面図、図３は、調節つまみを原点位置に置いた場合の一部切欠側面図、図４は、作動状態を説明する一部切欠側面図、図６は、同じく作動状態を説明する一部切欠側面図である。
【００１２】
実施例を示す図において、Ａは、この種の糸調子装置において従来公知のダイヤルカム軸１と、縫い方に合わせた糸調子圧を設定してダイヤルカム軸１上にそれぞれ固定された複数個の糸調子カム２と、各糸調子カム２の設定リフトに従ってそれぞれ揺動する揺動片３と、各揺動片３の先端部３’を係合してダイヤルテンション軸４上に備えられた複数個のばね受け５と、各ばね受け５に一方を支承されるばね６の付勢により、それぞれに設定糸調子圧を形成する左右一対の糸調子皿７とからなる一括変換機構である。
【００１３】
Ｂは、各糸調子器の設定糸調子圧を所望の糸調子圧に微調節する微調節機構である。この微調節機構Ｂは、ダイヤルテンション軸４に軸孔を遊嵌して各糸調子皿７の他側面（図１、２の図示右側）にそれぞれ隣接して回転可能に備えられ、糸調子皿７側の端部外周にそれぞれ雄ねじ部８を形成した調節つまみ９と、この調節つまみ９と糸調子皿７との間に介設されて調節つまみ９の雄ねじ部８に螺合し、支え軸１０に回転を抑止される雌ねじ部付きの微調節作動子１１とからなる。
【００１４】
この実施例において微調節機構Ｂは、調節つまみ９を原点位置（図１中図示Ｎ印）から上側へ回すと、雌ねじ部付きの微調節作動子１１がダイヤルテンション軸４上を図示右側に後退して糸調子器の設定糸調子圧を減圧し、下側に回転させると微調節作動子１１が図示右側に前進して糸調子器の設定糸調子圧を加圧するように作動する。
【００１５】
本発明には、ダイヤルテンション軸４上の調節つまみ９と、原点復帰操作軸１２上に遊嵌した原点復帰操作レバー１３との間に、糸調子皿７間に形成されている設定糸調子圧を微調節する調節つまみ９が原点位置から加圧方向へ変位する動作に従動して原点復帰レバー１７を変位させる第１連動機構Ｃ１と、上記調節つまみ９が原点位置から減圧方向へ変位する動作に従動して原点復帰レバー１７を変位させる第２連動機構Ｃ２との２系列の連動機構が設けられている。
【００１６】
この実施例において第１連動機構Ｃ１は、調節つまみ９の外周に設けた原動歯車１４と、初期位置を調節つまみ９の原点位置に対応させて原点復帰レバー軸１５上に遊嵌する従動歯車１６との噛合と、同じく原点復帰レバー軸１５上に備えられて従動歯車１６の回転に従動する原点復帰レバー１７と、この原点復帰レバー１７の出力端部１７ａに設けた当接子１８とによって構成されている。
また、第２連動機構Ｃ２は、調節つまみ９に一端１９’を接続し、他端１９”を、原点復帰レバー１７の他端部１７ｃに接続した連結リンク１９と、原点復帰レバー１７の出力端部１７ａに設けた当接子１８とによって構成されている。
【００１７】
上記した２系列の連動機構Ｃ１、Ｃ２には、それぞれに一方の連動機構が作動するときは他方の連動機構を非作動状態に保つ、すなわち、調節つまみ９との連動を回避する連動回避手段を備え、その作動が互いに干渉されないようにした連動回避手段Ｄ１、Ｄ２を備えている。
第１連動機構Ｃ１の連動回避手段Ｄ１は、従動歯車１６に設けられ、該歯車１６が調節つまみ９の原点位置から減圧方向に変位する場合の回転方向に沿って長く形成した円弧孔２０と、原点復帰レバー１７の一端部１７ｂに具えられて、初期位置を調節つまみ９の原点位置に対応させて円弧孔２０に嵌合する連結ピン２１とによって構成されている。
第２連動機構Ｃ２の連動回避手段Ｄ２は、連結リンク１９に設けられて、調節つまみ９の原点位置から加圧方向の変位長さに応じた長さを具えた長孔２２と、原点復帰レバー１７の他端部１７ｃに設けられて、初期位置を調節つまみ９の原点位置に対応させて長孔２２に嵌合する連結ピン２３とによって構成されている。
【００１８】
次ぎに、上記のように構成したこの微調節機構Ｂの一連の動作を図３、４、５について説明する。
まず、図３に示すように原点位置にある調節つまみ９を同図時計回りに回転させると、微調節作動子１１の後退により糸調子皿７の設定糸調子圧力が減圧される一方で、第２連動機構Ｃ２に関しては、調節つまみ９の回転に連結ピン２３が同方向に移動し、連結ピン２３に牽引されて連結リンク１９と原点復帰レバー１７の他端部１７ｃを介して、原点復帰レバー１７が、図４に示すように、同じく時計回りに変位し、当接子１８を原点復帰操作レバー１３側に変位させる。この場合の原動歯車１４と原点復帰レバー１７の回転は、従動歯車１６の円弧孔２０内の連結ピン２１が円弧方向に移動する連動回避手段Ｄ１の作動により、第１連動機構Ｃ１の連動を回避する。
【００１９】
また、図３に示すように原点位置にある調節つまみ９を同図反時計回りに回転させると、微調節作動子１１の前進により糸調子皿７の設定糸調子圧力が加圧される一方で、第１連動機構Ｃ１に関しては、初期位置を調節つまみ９の原点位置に対応させて原動歯車１４と噛合している従動歯車１６が、同図時計回りに回転する。そして、従動歯車１６の円弧孔２０の一端（図示左端）に連結ピン２１を嵌合させている原点復帰レバー１７が、前記第２連動機構Ｃ２の場合と同様に、図示時計回りに回転して出力端部１７ａを同方向に変位させ、当接子１８を原点復帰操作レバー１３側に変位させる。
この場合の原点復帰レバー１７の回転は、連結リンク１９の他端１９”に嵌合していた連結ピン２３を長孔２２内で変位させる連動回避手段Ｄ２の作動により、第２連動機構Ｃ２への連動を回避する。
【００２０】
原点復帰操作レバー１３は、図１、２に示すように、ダイヤルテンション軸４に配置されている各糸調子器の配置幅に相当する長さを有し、原点復帰操作軸１２の一端に備えたばね２４に抗して図３の時計回りに揺動させることによって、各当接子１８と原点復帰レバー１７と従動歯車１６を初期位置へ、調節つまみ９を原点位置へそれぞれ復帰させる。
【００２１】
なおこの実施例において、原点復帰レバー１７は、従動歯車１６と係合する連結ピン２１を一端部１７ｂに具え、他端部１７ｃに連結ピン２３を具えた部材１７’と、当接子１８を出力端部１７ａに具えた部材１７”とは別体に形成したものを後から一体化して原点復帰レバー軸１５上に備えている。
また図中、２５は縫い方を選択するローラー、２６はローラー軸２７の外端に取り付けられた選択ダイヤル、２８は、選択された縫い方をダイヤルカム軸１に伝達するプーリーとタイミングベルトとからなる伝達機構、２９は、ローラー軸２７上に固定されたラチェット歯車で、この歯車２９は、図３、４、５に示すように、原点復帰操作レバー１３の下端に具えた係合子１３’と係合して、上記選択ダイヤル２６の回転に従動して原点復帰操作レバー１３を介して原点復帰レバー１７を変位位置から初期位置へ復帰させ、調節つまみ９を原点に復帰させる。
【産業上の利用可能性】
【００２２】
本発明に係る糸調子装置は、第１連動機構、第２連動機構、連動機構それぞれに付設した連動回避機構ともに実施例の形態に限られるものではなく、本発明の要旨に沿って適宜に設計変更できることはいうまでもない。
【図面の簡単な説明】
【００２３】
【図１】実施例を示す正面図である。
【図２】実施例の平面図である。
【図３】実施例の調節つまみを原点位置においた場合の一部切欠側面図である。
【図４】実施例の作動を説明する一部切欠側面図である。
【図５】実施例の作動を説明する一部切欠側面図である。
【符号の説明】
【００２４】
Ａ  一括変換機構
Ｂ  微調節機構
Ｃ１  第１連動機構
Ｃ２  第２連動機構
Ｄ１  第１連動回避機構
Ｄ２  第２連動回避機構
１  ダイヤルカム軸
２  糸調子カム
３  揺動片  （３’  先端部）
４  ダイヤルテンション軸
５  ばね受け
６  ばね
７  糸調子皿
８  雄ねじ部
９  調節つまみ
１０  支え軸
１１  微調節作動子
１２  原点復帰操作軸
１３  原点復帰操作レバー  （１３’  係合子）
１４  原動歯車
１５  原点復帰レバー軸
１６  従動歯車
１７  原点復帰レバー  （１７ａ  出力端部、１７ｂ  一端部、  １７ｃ  他端部）
１８  当接子
１９  連結リンク  （１９’  一端、１９”  他端）
２０  円弧孔
２１  連結ピン
２２  長孔
２３  連結ピン
２４  ばね
２５  ローラー
２６  選択ダイヤル
２７  ローラー軸
２８  伝達機構
２９  ラチェット歯車
【図１】
2006087539.tif 000003
【図２】
2006087539.tif 000004
【図３】
2006087539.tif 000005
【図４】
2006087539.tif 000006
【図５】
2006087539.tif 000007